(57)【要約】【課題】背負い型の運搬用具、例えば、リュックサックやカバンの肩掛けベルトが肩の一部の筋肉に極度に負荷がかかるのを緩和するとともに、さらに、肩掛けベルトが肩からずり落ちないようにすることを目的とする。  【解決手段】以上の課題を解決するため、左右の肩を覆う肩パッドと、その左右の肩パッドの端を、両肩を結ぶ線と並行した方向にスライドが可能な長さ調整具からなり、肩の一部の筋肉だけでなく上腕骨、背骨、鎖骨を含めた体幹全体で荷重を均等に支えるようにするとともに、肩掛けベルトが肩からずり落ちないように左右の肩パッドに留め具を備えた肩掛け補助具を提供する。【選択図】図３
2020096804.tif 000002
【特許請求の範囲】
【請求項１】
背負い型の運搬用具の肩掛けベルトが肩の左右方向外側へずれるのを止める留め具を備えている左右の肩を覆う肩パッドと、前記肩パッドの端同士を、両肩を結ぶ線と並行した方向にスライド可能な長さ調整具からなる肩掛け補助具。
【請求項２】
前記留め具は、上腕部骨頭の上部及びその前部の少なくとも一方に位置して、前記肩掛けベルトの前記ずれを止める請求項１に記載の肩掛け補助具。
【請求項３】
首に掛けて前に吊るす携帯機材の首掛けベルトが上方へずれるのを止める留め具を、前記長さ調整具が備えている請求項１から２のいずれかに記載の肩掛け補助具。
【請求項４】
前記長さ調整具に、前記運搬用具の上部にある持ち手を結ぶフックとベルトを備えている請求項１から３のいずれかに記載の肩掛け補助具。
【請求項５】
前記肩パッドの端同士を、両肩を結ぶ線と並行した方向にスライド可能な長さ調整具が肩パッドの一部になっている請求項１に記載の肩掛け補助具。
【請求項６】
前記留め具は、上腕部骨頭の上部及びその前部の少なくとも一方に位置して、前記肩掛けベルトの前記ずれを止める請求項５に記載の肩掛け補助具。
【請求項７】
首に掛けて前に吊るす携帯機材の首掛けベルトが上方へずれるのを止める留め具を、肩パッドの首回りに備えている請求項５から６のいずれかに記載の肩掛け補助具。
【請求項８】
前記長さ調整部分は、前記肩パッドの双方において、磁性体を有し、その少なくとも、一方は永久磁化した磁石であり、それにより、双方の磁性体は磁力により、吸着する請求項５から７のいずれかに記載の肩掛け補助具。
【請求項９】
前記長さ調整部分が面ファスナーからなる請求項５から７のいずれかに記載の肩掛け補助具。
【発明の詳細な説明】
【技術分野】
【０００１】
本発明は、背負い型の運搬用具、例えば、リュックサックやカバンを背中に背負うときの荷重を均等に支え、さらに、肩掛けベルトが肩からずり落ちないための肩掛け補助具に関する。
【背景技術】
【０００２】
健康志向の高まりにより近年、老若男女は、山登り、トレッキング、ウォーキングなどで、リュックサック姿で、野外に出かけることが多くなった。また、日常生活においても市街地で多くの人がリュックサックや肩掛けカバンを持って歩く姿が見られるようになった。
【０００３】
長時間、歩く場合、前記運搬用具の肩掛けベルトが肩からずり落ち、何度も元へ戻す動作を行う。荷重のかかる荷物を背負う場合、肩の一部に肩掛けベルトが食い込み、息苦しく感じるようになる。さらに、山道を登り下りしたりする場合は、特に、痛みや苦痛が増すことになる。上腕から脇の下が締め付けられることにより、腕や手、指先に血液が回らず、しびれや無感覚の症状に陥ることがある。
【０００４】
このような問題に、従来は、肩掛けベルトが肩からずり落ちないように、リュックサックやカバンなどの肩掛けベルトを胸や腰の前で、左右の肩掛けベルトを横方向に別のヒモやベルトで結ぶＨ字型の方法が一般的であった（先行文献１参照）。
【０００５】
また、リュックサックの肩掛けベルトにショルダーストラップのズレ止めフックを取り付けることで、肩に掛けたカメラ、三脚、水筒のショルダーストラップがズレ落ちないようにするものがある（先行文献２参照）。
【０００６】
さらに、リュックサックの背中側に付着する肩掛け固定部と肩掛け固定部を共通にして、逆Ｕ字型の肩掛けフック部からなる肩掛け装着具があり、その頂点部分を使用者の肩に載置してリュックサックを背負うとある。これにより、リュックサック本体の身体全体への密着度を軽減するものがある（先行文献３参照）。
【先行技術文献】
【特許文献】
【０００７】
【特許文献１】意匠登録第１４７２８５３号公報
【特許文献２】特開２００６−６１２１２号公報
【特許文献３】特開２０１８−７９３２８号公報
【発明の概要】
【発明が解決しようとする課題】
【０００８】
しかしながら、特許文献１では、肩掛けベルトが肩からずり落ちないようにはなるが、胸部への締め付けや肩の一部に肩掛けベルトが食い込み、息苦しく感じるようになる。さらに、上腕から脇の下が締め付けられることにより、腕や手、指先に血液が回らず、しびれや無感覚の症状に陥ることがある。  
【０００９】
また、特許文献２では、ショルダーストラップのずれ落ちの止めであって、リュックサックの肩掛けベルトのずれ落ちの止めにはなっていない。リュックサックやカバンなどの荷物の肩への負担の軽減には触れられていない。
【００１０】
特許文献３では、逆Ｕ字型の肩掛けフック部を背負うと、肩の形状と肩掛けベルトの形状が合っていないため、均等に荷重を受けることができず、首の付け根側の筋肉に一方的に掛かることになり、肩への負担は、軽減されない。
【００１１】
このような事態の課題が残ったままになっている。特に高齢者に、登山やウォーキングが流行しており、その人数が増え続けているため、肩への負担を軽減する解決が待たれている。本発明は、これらの不具合を鑑み、新規な発想によりなされたものであり、前記運搬用具の肩掛けベルトが肩の一部の筋肉に極度に負荷がかかるのを緩和し、さらに、肩掛けベルトが肩からずり落ちないようにすることを目的とする。  
【課題を解決するための手段】
【００１２】
以上の目的を達成するために、種々検討した結果、発明者は、前記運搬用具、例えば、リュックサックやカバンの肩掛けベルトが肩の左右外側へずれるのを止める留め具を備えている左右の肩を覆う肩パッドと、前記肩パッドの端同士を、両肩を結ぶ線と並行した方向にスライド可能な長さ調整具からなる肩掛け補助具を考案した。
【００１３】
本発明においては、首の前部は空いており、首付け根の回りから肩の左右とも上腕部骨頭まで、肩の形状に合わせた形の肩パッドで覆うことにより、肩の筋肉だけでなく上腕骨、背骨、鎖骨を含めた体幹全体で荷重を均等に支えるようにすることで、肩への負担を和らげることができる。
【００１４】
人により肩幅が異なることから肩パッドの長さが異なっても調整できるように首の後ろでつなぐ前記長さ調整具がついており、多くの人に適用できる。
【００１５】
前記運搬用具の肩掛けベルトを肩パッドに付いている留め具に挟むことにより、固定でき、胸部への締め付けもなく、肩掛けベルトが肩からずり落ちることはない。
以上のように本発明の肩掛け補助具は、このような多くの利点を持つものである。
【発明の効果】
【００１６】
首の付け根の回りから肩の左右とも上腕部骨頭まで、肩の形状に合わせた形の肩パッドで覆うことにより、肩の筋肉だけでなく上腕骨、背骨、鎖骨を含めた体幹全体で荷重を均等に支えるようにすることで、肩への負担を和らげることができる。
【００１７】
肩掛けベルトが肩からずり落ちないように、前記運搬用具の肩掛けベルトを肩パッドに付いている留め具に挟むことにより、固定でき、胸部への締め付けもなく、快適なウォーキングを楽しむことができる。
【００１８】
前記長さ調整具に、首に掛けて前に吊るす携帯機材の首掛けベルトの留め具を付けて、首回りの負担を和らげることができる。ここで言う、前記携帯機材とは、例えば、カメラ、双眼鏡、画板、楽器を言う。また、同様に、前記長さ調整具に付けたフックとベルトに前記運搬用具の上部にある持ち手を結び付けて、背中と密着させて、前記運搬用具が下がって、肩への負荷が増すことを防止することができる。
【００１９】
また、前記運搬用具の肩掛けベルトを肩パッドの留め具に先に装着してから、背負いこむと、肩掛けベルトがねじれることもなく、容易に背負いこむことができる効果もある。さらに、この肩掛け補助具をベストと合体させて、着ることで、前記運搬用具の脱着がスムーズになる。
【００２０】
前記運搬用具に限らず、カバンやショルダーバッグを掛けたり、草取り作業や機材運搬などで、片方の肩に肩掛けベルトを使用したりする場合や乳児をおんぶや前で抱く場合に使うおんぶヒモ、抱っこヒモ、スリングを使用したりする場合にも、この肩掛け補助具が使用できる。
【図面の簡単な説明】
【００２１】
【図１】肩パッドの平面図と長さ調整具の断面図。
【図２】長さ調整具の断面図と側面図。
【図３】肩パッドと長さ調整具の正面からの立体図。
【図４】肩掛け補助具の正面からの立体図。
【図５】肩パッドと長さ調整具の背後からの立体図。
【図６】肩掛け補助具の背後の立体図。
【図７】肩掛け補助具を装着した正面からの立体図。
【図８】肩掛け補助具を装着し、リュックサックを背負った正面からの立体図。
【図９】肩掛け補助具を装着した背後からの立体図。
【図１０】肩掛け補助具を装着し、リュックサックを背負った背後からの立体図。
【図１１】肩パッドの右肩に具備した留め具の斜視図。
【図１２】肩パッドの右肩に具備した留め具と留め金具１４の斜視図。
【図１３】長さ調整具に付けた留め具と首掛けベルトの立体図。
【図１４】図１３の長さ調整具を線ａｂで切った断面図。
【図１５】長さ調整具に付けたフックとリュックサックの持ち手とそれを結ぶベルトの立体図。
【図１６】図１５のＣ点から矢印の方向に見た長さ調整具に付けたフックとリュックサックの持ち手とそれを結ぶベルトの側面図。
【図１７】網目構造（左）、格子構造（中央）、穴あき構造（右）がある肩パッドの立体図。
【図１８】肩パットの端をヒモ状にした肩掛け補助具の背後の立体図
【図１９】肩パッドの長さ調整部分の斜視図と側面図（円内）
【図２０】肩パッドに具備した面ファスナーの留め具の斜視図。
【発明を実施するための形態】
【００２２】
以下、本発明の実施の形態について、前記運搬用具の代表例として、リュックサックで説明する。
図１は、リュックサックやカバンの肩掛けベルトのずり落ち防止の留め具３を備えている右の肩を覆う肩パッド１の平面図と、肩パッド１の端を首の後ろでつなぐ長さ調整具２の断面図である。両肩を結ぶ線と並行した方向とは、図１中のＸ軸方向を言う。左右の肩パッド１の歯形状の両端を長さ調整具２に挿入し、固定する構造になっている。
【００２３】
肩パッド１は、肩に合わせた形状で半円筒状、台形状、平板状およびそれらの変形からなる。胸に当たる部分に肩掛けベルトの留め具３を備えており、その端は、首の後ろで長さ調整具２に挿入、固定するように歯形状のレール部分がある。
肩掛けベルトの留め具３の位置は、胸に当たる部分や肩に当たる部分が好ましい。
【００２４】
図２は、長さ調整具２の断面図と側面図である。長さ調整具２も、空洞部の上下に歯形状のレール部分を持ち、左右の肩パット１の歯形状のレール部分で、相互にかみ合い、スライドさせて個人の肩幅に合った長さに調整し、固定するようになっている。長さ調整具２は、肩幅の調整と固定ができれば、この方式にこだわらない。例えば、長さ調整具２は、左右の肩パッド１の両端１´をしなやかな素材の帯や皮にすれば、ベルトのバックルやプラスチックアジャスター１６が利用でき、さらに、肩パッド１の両端１´をヒモ状にすれば、長さ調整具２にスライドストッパー１７が利用できる。
【００２５】
図３、図４は、左右の肩パット１と長さ調整具２の挿入の前と後をそれぞれ正面から見た図である。長さ調整具２に左右から肩パット１の端を挿入し、個人の肩幅に合わせたところまでスライドさせ、止めることができる。図４、図６には、人が装着したイメージ１５の頭上から見た姿を破線で示した。また、長さ調整具２を破線で示した楕円３´は、上腕部骨頭の上部の留め具の位置を示し、実線で示した楕円は、上腕部骨頭の前部の位置を示す。図５、図６は、同じく、左右の肩パット１と長さ調整具２の挿入の前と後を背後から見た図である。このように肩パット１は、肩を覆い、荷重を肩全体で支える形状になっている。
【００２６】
図７は、肩掛け補助具を装着した正面から見た立体図で、肩の水平線より、肩が下がっている分、角度９ができている。この角度は、肩傾斜と言われており、個人の骨格によるもので、肩パット１の素材の強度により、変わるが、日本人一般に約２０度と言われている。肩傾斜が高いほど、肩掛けベルトがずり落ちやすい。
【００２７】
図８は、人が装着した本発明の実施形態の肩掛け補助具の上からリュックサックを背負った形態を示している。肩パッド１の左右の肩あるいは胸に具備している留め具３の溝にリュックサックのそれぞれの肩掛けベルト４を挿入し、肩からずり落ちることのないようにしている。詳しくは、その形態は、図１１に右肩側の留め具３と肩掛けベルト４で示す。肩パッド１の左右の肩あるいは胸に具備している留め具３の内向き、つまり体の中心側に作られた溝に肩掛けベルト４をはめ込むことで、肩から肩掛けベルトがずり落ちることなく、固定できる。さらに、肩掛けベルト４を強固に固定したい場合は、図１２に示すように留め金具１４で固定することもできる。
また、肩掛けベルト４をさらに固定したい場合は、図２０のように肩パッドに通し穴２１で通して、固定した面ファスナーベルト２０で、肩掛けベルト４を、簡単に肩パッドから脱着する留め具も利用できる。
【００２８】
図１３は、長さ調整具２に付けた留め具３と首掛けベルト５の背後からの立体図である。長さ調整具２には、前記携帯機材の首掛けベルト５の留め具３を備えている。図１３の留め具３は、図１１の留め具３と同様に溝があり、首掛けベルト５を挿入できる構造になっており、首掛けベルト５が上方へずれるのを止める。荷重を首の付け根だけでなく、肩全体で受け止め、均等に支えることができる。そのため、長時間、前記携帯機材を首から下げていても首が痛くならない。図１４は、図１３の長さ調整具２を線ａｂで切った断面図である。
【００２９】
図１５は、長さ調整具２に付けたフック６とリュックサックの持ち手８とそれを結ぶベルト７の背後からの立体図である。図１５の長さ調整具２にフック６を取り付けて、それにベルト７を通して、リュックサック本体１３の上部の持ち手８と結ぶことにより、歩行中にリュックサックが後方に引っ張れ、背中と離れるのを防ぎ、肩にかかる負荷を軽減することができる。ベルト７は、伸縮する素材が好ましい。図１６は、図１５のＣ点から矢印の方向から見た長さ調整具２に付けたフック６とリュックサックの持ち手８とそれを結ぶベルト７の側面図である。ベルト７は、アジャスター１６で留められている。右の円の中の写真は、アジャスター１６の平面拡大図である。
【００３０】
肩パッド１には、発汗によるべた付きを除くために、図１７に示すようにメッシュ構造１０、格子構造１１や穴あき構造１２などで通気性をよくし、衣服との間に、空気層を設けることができる。通気性の構造であれば、これらにこだわらない。
【００３１】
肩パッド１の表面及び裏面とは、表面が、肩ベルトと接する面で、難滑性の素材で、滑りにくくすることで、前記ずれを抑える効果があり、裏面とは、衣服と接する面で、同じく、肩パット１と衣服の間のずれを抑える効果がある。肩パッド１の表面及び裏面の少なくとも一面は、ゴム系、皮系やアクリル系、エポキシ系、シリコン系、ウレタン系などの樹脂などの難滑性の素材から選ばれるのが好ましいが、それに限定されるものではない。静摩擦係数０．４以上、１．０以下が好ましい。また、物理的に凹凸や溝をつけることで、滑るのを防止することもできる。
【００３２】
肩パッド１の全体の形状を図１に示すような楕円状の曲線のある形で説明したが、体幹全体で荷重を均等に支える形状であれば、どんな曲線の形状でも台形や長方形の直線のある形状でも構わない。1枚板でなくても、部分を連結させた形状でもよい。例えば、図１８は、肩掛け補助具の背後の立体図であるが、肩パットの端１´をヒモ状にして、肩パット１と分けて、長さ調整具２をスライドストッパー１７にしている。右下の円の中の写真は、スライドストッパー１７の正面図である。スライドストッパー１７の楕円穴内の斜線は、ばねを示す。
【００３３】
長さ調整具２が、肩パッドの一部になっている場合を図１９に示す。片方の肩パッドの端には、永久磁石１８を備えており、他方の肩パッドには、永久磁石１８又は、鉄、ニッケル、コバルトなどの磁性体１９がついており、両者を近づけると、磁力により吸着するようになっている。この方法により、両方の肩パッド１を容易に結合することができる。同様の結合に面ファスナーを用いてもよく、簡単に両方の肩パッド１を結合できるものであれば、方法にこだわらない。
また、首に掛けて前に吊るす携帯機材の首掛けベルト５が上方へずれるのを止める留め具３は、肩パッドの首回りのいずれの部分にも付けることができる。
【００３４】
本発明の実施形態の肩掛け補助具の素材は、金属、プラスチック、グラスファイバー、炭素繊維、厚紙、繊維、ゴム、皮、竹、木板あるいはそれらの複合材から選ばれるのが好ましいが、それに限定されるものではない。ここで言う複合材とは、２種類以上の異なる素材を組み合わせてつくられる材料で、織り合わせることや多層に重ね合わすことも含む。
【００３５】
肩掛け補助具は、荷重に耐えられる所定の剛性、しなやかさ、形状保持性のある軽量な素材が好ましい。ここで言う所定の剛性とは、ヤング率で表すと、１から１００GPa の範囲の素材である。その厚みは、薄いほど、肩に違和感がないので、０．２ｍｍから１０ｍｍがよく、好ましくは1ｍｍから１０ｍｍがよく、さらに好ましくは、２ｍｍから５ｍｍが良い。また、一番負荷のかかる肩の尾根の部分は、強度を増すため、厚みを増して、比較的負荷のかからない他の部分は、薄くしてもよい。
【符号の説明】
【００３６】
１  肩パッド
１´肩パッドの端
２  長さ調整具
３  留め具
３´留め具の位置
４  肩掛けベルト
５  首掛けベルト
６  フック
７  ベルト
８  リュックサックの持ち手
９  角度
１０  網目構造
１１  格子構造
１２  穴あき構造
１３  リュックサック本体
１４  留め金具
１５  人が装着したイメージ
１６  アジャスター
１７  スライドストッパー
１８  永久磁石
１９  磁性体
２０  面ファスナーベルト
２１  面ファスナーベルト通し穴
【図１】
2020096804.tif 000003
【図２】
2020096804.tif 000004
【図３】
2020096804.tif 000005
【図４】
2020096804.tif 000006
【図５】
2020096804.tif 000007
【図６】
2020096804.tif 000008
【図７】
2020096804.tif 000009
【図８】
2020096804.tif 000010
【図９】
2020096804.tif 000011
【図１０】
2020096804.tif 000012
【図１１】
2020096804.tif 000013
【図１２】
2020096804.tif 000014
【図１３】
2020096804.tif 000015
【図１４】
2020096804.tif 000016
【図１５】
2020096804.tif 000017
【図１６】
2020096804.tif 000018
【図１７】
2020096804.tif 000019
【図１８】
2020096804.tif 000020
【図１９】
2020096804.tif 000021
【図２０】
2020096804.tif 000022